(57)【特許請求の範囲】
【請求項１】
幅方向左右に引き裂かれるように分断するための開封用分断部（４）を長手方向にわたって設けている外装フィルム（１）と、
この外装フィルム（１）と略同じ大きさ、形状をなして、該外装フィルム（１）に対応して引き裂かれるように、２枚のフィルム片（２−１，２−２）の長辺内側端（２−１ａ，２−２ａ）を重ね接合している内装フィルム（２）と、を備え、
海苔などシート状加工品（３）を間に挟んで重ね合わされる前記外装フィルム（１）と前記内装フィルム（２）との、前記シート状加工品（３）の外側に位置する長辺側端（１ａ，２ａ）の長辺シール領域（Ｘ）と短辺側端（１ｂ，２ｂ）の短辺シール領域（Ｙ）とが熱溶着されることで密閉された袋状に形成されるおにぎり用包装材であって、
前記外装フィルム（１）は、前記内装フィルム（２）の上に置かれるおにぎり（Ｂ）を包装するときに、該おにぎり（Ｂ）を前記内装フィルム（２）で包み込むように折り込まれて該内装フィルム（２）の前記短辺側端（２ｂ）とともに熱溶着される前記短辺側端（１ｂ）のうち、その一方側の短辺側端（１ｂ）側に、適宜の突出幅と突出高さにて形成される開封用摘み片（５）を一体に備え、
さらに、前記外装フィルム（１）は、前記開封用摘み片（５）を摘んで前記開封用分断部（４）に沿って引き裂かれるときに、その引き裂きを前記開封用分断部（４）へと導くための引き裂き起点となる誘導切込み線（６，７）を、前記開封用摘み片（５）の両側の突出基部にそれぞれ備え、
前記開封用摘み片（５）を片手で摘んで、前記開封用分断部（４）に沿わせて前記外装フィルム（１）を引き裂き分断するときに、もう一方の片手で摘まれる前記外装フィルム（１）の前記短辺側端（１ｂ）の一半端部（１ｂ−１）側に位置する前記誘導切込み線（６）の切込み長さ（Ｌ１）よりも、前記短辺側端（１ｂ）の他半端部（１ｂ−２）側に位置する前記誘導切込み線（７）が、線状に熱溶着される前記短辺シール領域（Ｙ）を横断するように長い切込み長さ（Ｌ２）に形成されていることを特徴とするおにぎり用包装材。
【請求項２】
前記２枚のフィルム片（２−１，２−２）の重なり合う前記長辺内側端（２−１ａ，２−２ａ）が、粘着テープ（８）を用いて剥離可能に接合されていることを特徴とする請求項１に記載のおにぎり用包装材。
【請求項３】
前記粘着テープ（８）が、前記２枚のフィルム片（２−１，２−２）のうち、一方側のフィルム片（２−１）の長辺内側端（２−１ａ）に沿って取り付けられていることを特徴とする請求項２に記載のおにぎり用包装材。
【発明の詳細な説明】
【技術分野】
【０００１】
本発明は、四角形状や三角形状などに加工されたおにぎりを包装するために用いられる包装材に係り、特に、短辺方向に引き裂き分断とする開封用分断部を備えている外装フィルムと、この外装フィルムに対応して分断されるように、２枚のフィルム片から形成されている内装フィルムとの間に海苔などのフィルム状加工品が挟まれて収容されている包装材に関する。
【背景技術】
【０００２】
四角形状や三角形状などに加工されたおにぎりを包装するため包装材としては、多種多様なものが開発され、提案されている（例えば、特許文献１から特許文献２参照）。
このおにぎり用包装材は、一般に、包装するおにぎりの大きさや形状（四角形や三角形）などに応じた大きさを有する長方形状に形成されている外装フィルムと内装フィルムとの間に、同じく長方形状で一回りほど小さなシート状に整形されている海苔が挟み込み収容されている。
つまり、１本または２本のカットテープによる開封用分断部が長手方向にわたって設けられる外装フィルムと、２枚のフィルム片の長辺内側端を接合させることで、外装フィルムと同じ長さと幅を有する大きさに形成されている内装フィルムとの間に、フィルム状に整形されている海苔を挟んで、海苔の長辺両外端よりも外側に位置する外装フィルムと内装フィルムとの重なり合う長辺両側外端の領域が熱溶着（ヒートシール）されることで袋状に形成されるようになっている。
このようにして、袋状に形成されているおにぎり用包装材は、内装フィルム側に三角形などの形状ににぎられたおにぎりを載せ、内装フィルムでおにぎりを包み込むように外装フィルムを折り返した後に、重なり合う外装フィルムと内装フィルムとの短辺側端同士、そして熱溶着されている長辺外側端同士をそれぞれ熱溶着により接合させることにより、コンビニエンストアやスーパーマーケットなどの販売される包装されたおにぎりとして商品化されるようになっている。
【０００３】
そして、消費者が、おにぎりを食するときは、外装フィルム側に設けられている開封用分断部で外装フィルムを幅方向の両側に２分割させた後に、この２分割された外装フィルムの熱溶着されている長辺側端をそれぞれ摘んで両側（左右）に引っ張っていくことで、内装フィルムの２枚のフィルム片も接合されている長辺内側端において両側に引き裂かれるように２分割されて引き出されることにより、後には海苔とおにぎりが残る。これにより、海苔でおにぎりを包み込んで食することができるようにしている。
【０００４】
このように袋状に形成されているおにぎり用包装材では、海苔と、おにぎりを２枚のフィルム片からなる内装フィルムによって接触させることなく、しかも、密閉分離させた状態で包装することができる。これにより、おにぎりの水分などが海苔へ移行することを確実に防ぎ、海苔の風味を損なわずに数日間、保存することができるために、「ぱりっ」とした食感の海苔でおにぎりを包み込んで、美味しいおにぎりを食することができるようにしている。
【特許文献１】特開平９−１０３２５５号公報
【特許文献２】特開２００２−３６２６６５号公報
【特許文献３】特開２００５−３３３８０２号公報
【発明の開示】
【発明が解決しようとする課題】
【０００５】
しかしながら、特許文献１および特許文献２において開示されている包装材は、外装フィルムをカットテープからなる開封用分断部に沿わせて分断するために片手の親指と人差し指で摘む開封用摘み片が、外装フィルムの短辺側端側のみならず、内装フィルムの短辺側端側をも含めて裁断形成されている。つまり、図９に示すように、外装フィルム１００の短辺側端１００ｂに備えられている開封用摘み片５００の背後には、この開封用摘み片５００と同じ形状を有する内装フィルム２００が重なり合うように存在（位置）している。
そのために、外装フィルム１００の開封用摘み片５００のみを摘んで、外装フィルム１００を開封用分断部４００に沿わせて分断するときには、内装フィルム２００を避けて外装フィルム１００の開封用摘み片５００のみを摘むために、捲りながら開封用摘み片５００のみを探し出さなければならないという面倒で手間が掛かるなどの問題があった。
【０００６】
そこで、このような問題を解決するために、特許文献３に開示されている包装材が提案されている。
この特許文献３に開示されている包装材は、開封するときに摘むための開封用摘み片を捲るように探さなければならないといった特許文献１が有する問題は解消し、しかも、内装フィルムの短辺側端を含めた外装フィルムの短辺側端を三角形状に加工されているおにぎりの形状に沿わせて折畳むようにおにぎりを包装する三角の包装形態においては有効であった。
【０００７】
しかしながら、加工されるおにぎりの形状を問わずに、例えば、図８に示すように、四角の包装形態にておにぎりを包装した場合、外装フィルムの短辺側端に形成されている開封用摘み片を片手Ｍで摘み、そして、もう一方の片手Ｎで外装フィルムの短辺側端を摘んだ状態で、開封用摘み片を手前に引っ張っても、開封用摘み片の突出基部にそれぞれ設けられている両側の誘導切込み線にて開封用分断部へと速やかに引き裂くことができない場合があった。
この原因は、開封用摘み片が形成されている外装フィルムの短辺側端を除く、外装フィルムの短辺側端を含めた内装フィルムの短辺側端には、開封用摘み片の突出幅と突出高さに相当する深さと形状の凹欠部が存在しているためと考えられる。
つまり、開封用摘み片が突出する基部部分の背後においては、外装フィルムの短辺側端、そして内装フィルムの短辺側端が凹欠状に抉られて繋ぎがない状態（張りがない状態）であるために、開封用摘み片を片手の指先で摘み、開封用摘み片を挟む一方側の短辺側端をもう一方の片手の指先で摘んだ状態で、開封用摘み片を手前に引っ張ったときに、摘まれていない他方側の短辺側端が開封用摘み片の引っ張り方向（手前側）に撓むように変形してしまうことが原因と考えられる。
【０００８】
そこで、本発明は、前記課題を解消するために創案されたものであり、開封するときに、開封用摘み片によって速やかに開封用分断部に沿わせて外装フィルムを幅方向左右に２分割することができ、しかも、その２分割がより一層速やかに行うことができるように改良されたおにぎり用包装材を提供することにある。
【課題を解決するための手段】
【０００９】
前記課題を解決するために、本発明では、幅方向左右に引き裂かれるように２分割するための開封用分断部を長手方向にわたって設けている外装フィルムと、この外装フィルムと略同じ大きさ、形状をなして、該外装フィルムに対応して引き裂かれるように、２枚のフィルム片の長辺内側端を重ね接合している内装フィルムと、を備え、
海苔などシート状加工品を間に挟んで重ね合わされる前記外装フィルムと前記内装フィルムとの、前記シート状加工品の外側に位置する前記外装フィルムと前記内装フィルムとの重なり合う長辺側端の長辺シール領域と、重なり合う短辺側端の短辺シール領域とが熱溶着されることにより袋状に形成されているおにぎり用包装材であって、
前記外装フィルムは、前記内装フィルムの上に置かれるおにぎりを包装するときに、該おにぎりを前記内装フィルムで包み込むように折り返されて該内装フィルムの前記短辺量側端とともに熱溶着される前記短辺側端のうち、その一方の短辺側端側に、適宜の突出幅と突出高さにて形成される開封用摘み片を一体に備え、さらに、前記外装フィルムは、前記開封用摘み片を摘んで前記開封用分断部に沿って引き裂き分断されるときに、その引き裂きを前記開封用分断部へと導くための引き裂き起点となる誘導切込み線を、前記開封用摘み片の突出基部の両側にそれぞれ備え、
前記開封用摘み片を片手で摘んで、前記開封用分断部に沿わせて前記外装フィルムを引き裂き分断するときに、もう一方の片手で捕まれる前記外装フィルムの前記短辺側端の一半端部側に位置する前記開封用摘み片の突出基部に備えられる前記分断誘導切込み線の切込み長さ（Ｌ１）よりも、他半端部側に位置する前記開封用摘み片の突出基部に備えられる前記分断誘導切込み線が、線状に熱溶着される前記短辺シール領域を横断するように長い切込み長さ（Ｌ２）に形成されていることを特徴とする。
【００１０】
このような構成によれば、外装フィルムの短辺側端に備えられている開封用摘み片を片手で摘んで、外装フィルムを開封用分断部に沿わせて幅方向の左右に引き裂き分断するために、もう一方の片手で外装フィルムの短辺側端の一半端部側を摘んだ状態で、開封用摘み片を手前（食する人側）に引っ張ったときに、摘まれていない外装フィルムの短辺側端の他半端部側が開封用摘み片に引っ張られて撓むことがない。これは、開封用摘み片の突出基部の背後（裏側）は、従来の包装材のように凹欠状に抉られておらずに、内装フィルムの短辺側端によって剛性（張り）が保たれていることで、開封用摘み片に引っ張られて垂れることが阻止される。
これにより、開封用摘み片を手前側に引っ張ることによって、開封用摘み辺の突出基部の両側に備えられている誘導切込み線から速やかに開封用分断部へと引き裂きが移行され、該開封用分断部に沿って外装フィルムは幅方向の左右に二分割される。
【００１２】
また、このような構成によれば、前記したように、外装フィルムの短辺側端に備えられている開封用摘み片を片手で摘んで手前に引っ張ったときに、摘まれていない外装フィルムの短辺側端の他半端部側が開封用摘み片に引っ張られて僅かに垂れたとしても、前記他半端部側に位置して開封用摘み片の突出基部に設けられている誘導切込み線が、外装フィルムと内装フィルムとの重なり接合されている長辺側端の線状の短辺シール領域を横断する切込み長さ（Ｌ２）に形成されていることで、もう一方の片手の指先で摘まれている外装フィルムの短辺側端の一半端部側に位置して開封用摘み片の突出基部に設けられている誘導切込み線による引き裂きに遅れることなく、開封用分断部へと引き裂きが移行されることとなる。
これにより、外装フィルムを幅方向の左右に引き裂き分断するための開封用摘み片から開封用分断部に沿わせて行われる外装フィルムの引き裂きがより一層速やかに遂行されることが期待できる。
【００１３】
また、本発明では、前記２枚のフィルム片の重なり合う長辺内側端同士が、粘着テープを用いて剥離可能に接合されていることを特徴とする。
ここで、前記粘着テープが、前記２枚のフィルム片のうち、一方側の長辺内側端に沿って取り付けられていることが好適なものとなる。そして、粘着テープは、熱溶着による取り付けが好ましい。
【００１４】
このような構成によれば、外装フィルムと同じ大きさ、形状の内装フィルムを形成するための２枚のフィルム片の重ね接合される長辺内側端を、従来の熱溶着（ヒートシール）に変えて、粘着テープを用いて接合するようにしたことで、安定させた接合が期待される。つまり、熱溶着（ヒートシール）による接合においては、加熱温度の僅かな変動によって接合ムラ（溶着ムラ）が発生する原因となるが、粘着テープによる接合では、常に安定させた接合を期待することができる。しかも、外装フィルムに対応して引き裂かれるときの、２枚のフィルム片の長辺内側端の剥離分離においても良好となる。
また、粘着テープを２枚のフィルム片のうち、一方側のフィルム片の長辺内側端に予め熱溶着などにより取り付けておき、もう一方側のフィルム片の長辺内側端と剥離可能に重ね接合するようにしている。これにより、包装材を製作するための製造工程において、２枚のフィルム片の長辺内側端を重ね接合するときの作業性の改善が期待できる。
【発明の効果】
【００１５】
本発明のおにぎり用包装材は、以上のように構成されていることで、開封するときに、開封用摘み片を片手で摘んで手前側に引っ張ることによって、開封用摘み辺の突出基部の両側に備えられている誘導切込み線から速やかに開封用分断部へと引き裂きが移行され、該開封用分断部に沿って外装フィルムを幅方向の左右に二分割することができる。これにより、おにぎりを食するときに、包装材を容易に開封することができる。
【００１６】
また、開封用摘み辺の両側の突出基部にそれぞれ設けられる誘導切込み線の切込み長さ（Ｌ１，Ｌ２）のうち、開封用摘み片を片手で摘んで外装フィルムを引き裂き分断するときに、もう一方の片手で摘まれる外装フィルムの短辺側端の他半端部側に位置する一方の誘導切込み線の切込み長さ（Ｌ２）が、線状に熱溶着される短辺シール領域（Ｙ）を横断する長さに形成されている。
これにより、より一層速やか、かつ、容易に外装フィルムを開封用分断部に沿って幅方向の左右に二分割することができる。つまり、包装材を開封している最中に、例えば、おにぎりが崩れることや、海苔などのシート状加工品が破れてしますなどを抑制する効果を期待することができる。
【００１７】
さらに、おにぎりを包装するときに、おにぎりの表面を包み込むように宛がわれる内装フィルムを形成する２枚のフィルム片の長辺内側端の接合が、粘着テープにより行われるために、安定させた接合が期待できる。これにより、おにぎりの水分などが海苔へ移行することをより一層確実に防ぐことができる。よって、海苔の風味を損なわずに数日間の保存は勿論のこと、より一層「ぱりっ」とした食感の海苔でおにぎりを包み込んで、美味しいおにぎりを食することができる。
【発明を実施するための最良の形態】
【００１８】
以下、本発明の実施形態について、適宜図面を参照しながら詳細に説明する。
図１は、本実施形態に係るおにぎり用包装材の外装フィルムと内装フィルムとを分離して示す分解斜視図であり、図２は、袋状に形成された同包装材の外装フィルム側を上にした状態を示す斜視図であり、図３は、同包装材の内装フィルム側を上にした状態を示す斜視図であり、図４は、同包装材の拡大断面図である。
【００１９】
≪包装材の構成≫
包装材Ａは、図１に示すように、外装フィルム１と、内装フィルム２とを備え、海苔などシート状加工品３を間に挟んで重ね合わされる外装フィルム１と内装フィルム２との、シート状加工品Ｍの外側に位置する長辺側端１ａ，２ａの長辺シール領域Ｘと短辺側端１ｂ，２ｂの短辺シール領域Ｙとが熱溶着されることで密閉された袋状に形成される。
シート状加工品３としては、海苔の他に、ゼラチンでシート状に整形された昆布や鰹節などを挙げることができる。
【００２０】
≪外装フィルムの構成≫
外装フィルム１は、延伸された合成樹脂製フィルムなどを用いて適宜の大きさを有する長方形状に形成されているとともに、その幅方向の中央部位において、長手方向に平行にわたるように２本の開封用分断部４をそれぞれ備えている。
この開封分断部４は、図１および図３に示すように、外装フィルム１の内表面にカットテープを貼り付けることで、外装フィルム１の一方側（図１の紙面左側）の短辺側端１ｂから他方側（図１の紙面右側）の短辺側端１ｂに至る外装フィルム１の長手方向にわたって備えられる。
【００２１】
そして、外装フィルム１は、図１および図２に示すように、一方の短辺側端１ｂの中央部位に開封用摘み片５を備え、この開封用摘み片５の両側の突出基部には誘導切込み線６，７をそれぞれ備えている。
【００２２】
≪開封用摘み片の構成≫
開封用摘み片５は、外装フィルム１の長手方向にわたり平行に備えられている２本の開封用分断部４の間隔よりも広い突出幅と適宜の突出高さにて形成されている。
これにより、開封用摘み片５は、後記の図８に示すように、おにぎりＢを包装した状態において、外装フィルム１と内装フィルム２との短辺側端１ａ，２ａから片手Ｍの指先（親指と人差し指）で確実に摘むことができる突出幅と突出高さにて飛び出した状態で存在することとなる。
【００２３】
≪誘導切込み線の構成≫
誘導切込み線６，７は、開封用摘み片５を摘んで、外装フィルム１を２本の開封用分断部４に沿わせて長手方向に引き裂くときに、開封用摘み片５の両側の突出基部から２本の開封用分断部４へと引き裂きをそれぞれ導く役目（作用）を成すものである。
図１および図２に示すように、誘導切込み線６の切込み長さＬ１よりも誘導切込み線７の切込み長さＬ２が、線状に熱溶着される短辺シール領域Ｙを横断するように長く形成されている。
具体的に説明すると、後記の図８に示すように、片手Ｍで摘まれる開封用摘み片５を挟んで、外装フィルム１の短辺側端１ｂの一半端部１ｂ−１側に位置する誘導切込み線６の切込み長さＬ１よりも、短辺側端１ｂの他半端部１ｂ−２側に位置する誘導切込み線７が、線状に熱溶着される短辺シール領域Ｙを横断するように長い切込み長さＬ２にて形成されている。
これにより、開封用摘み片５を摘んでいる片手Ｍで開封用摘み片５を手前（紙面斜め左方向）に引っ張ったときに、もう一方の片手Ｎで摘まれている一半端部１ｂ−１側の誘導切込み線６と、摘まれていない他半端部１ｂ−２側の誘導切込み線７とによる開封用分断部４への引き裂き誘導は略平行して行われることとなる。
つまり、摘まれていない外装フィルム１の短辺側端１ｂの他半端部１ｂ-２側は開封用摘み片５により引っ張られて手前側に撓むように変形し易い。この他半端部１ｂ−２側に対し、摘まれている一半端部１ｂ−１側は開封用摘み片５により引っ張られて手前側に変形することがない。
したがって、開封用摘み片５を手前側に引っ張ったときの引っ張り力（引き裂き力）が、一半端部１ｂ−１側の誘導切込み線６を介して一方の開封分断部４に導かれるタイミングに比べて、他半端部１ｂ−２側の誘導切込み線７を介してもう一方の開封用分断部４に導かれるタイミングが、他半端部１ｂ−２側の撓み変形によって遅れがちになる傾向にある。
そこで、本実施形態では、開封用摘み片５の突出基部から短辺シール領域Ｙを横断する切込み長さＬ２にて誘導切込み線７を形成することによってタイミングの遅れを取り戻し、誘導切込み線６と略平行してそれぞれの開封用分断部４へと引き裂き誘導が移行されるようにしている。
【００２４】
≪内装フィルムの構成≫
内装フィルム２は、外装フィルム１と同じく延伸された合成樹脂製フィルムなどを用いて、該外装フィルム１幅の略半分程度の幅に形成されている２枚のフィルム片２−１，２−２の長辺内側端２−１ａ，２−２ａを重ね接合することによって、外装フィルム１と略同じ大きさを有する長方形状に形成されている。
そして、内装フィルム２は、２枚のフィルム片２−１，２−２の長辺内側端２−１ａ，２−２ａを、図３および図４に示すように、粘着テープ８を用いて剥離可能に重ね接合するようにしている。
これにより、従来から行われている熱溶着（ヒートシール）による長辺内側端２−１ａ，２−２ａの接合に比べて、長辺内側端２−１ａ，２−２ａの接合ムラが無く、常に安定させた接合と、外装フィルム１が幅方向の左右に２分割されるとき対応して２枚のフィルム片２−１，２−２の長辺内側端２−１ａ，２−２ａが速やかに剥離分離されることを可能にしている。
粘着テープ８は、２枚のフィルム片２−１，２−２のうち、一方側のフィルム片２−１の長辺内側端２−１ａ側に沿って熱溶着などによって予め取り付けられていて、他方側のフィルム片２−２の長辺内側端２−２ａとの重ね接合が行われるようになっている。
【００２５】
［包装材の製法説明］
次に、以上のように形成されている外装フィルム１と内装フィルム２とによる包装材Ａの製法について簡単に説明する。
図５は、本実施形態に係る包装材の製造ラインにおいて、シート状加工品を挟み、外装フィルムと内装フィルムとが熱溶着された状態で長尺な帯状に連なる包装材が搬送されるときの一部を外装フィルム側から見たときの平面図、および、同包装材が裁断工程へと搬送されて裁断カッタにより裁断されたときの状態を示す概略図である。ここでは、図１および図２を適宜参照しながら説明する。
外装フィルム１と内装フィルム２はそれぞれの供給ロールに巻回された状態で、図示省略の製造ラインの要所にそれぞれ設置されている。
この設置状態において、外装フィルム１は、予め所定の幅に裁断（加工）され、かつ、予め開封用分断部４のためのカットテープが貼り付けられた一枚の長尺な帯状形態で供給ロールに巻回されており、内装フィルム２は、予め２枚のフィルム片２−２，２−２の長辺内側端２−１ａ，２−２ａを粘着テープ８で重ね接合させて、外装フィルム１と同じ幅に形成された長尺な帯状形態で供給ロールに巻回されている。
【００２６】
そして、供給ロールから製造ラインに繰り出された外装フィルム１には、内装フィルム２と重ね合流される前において、開封用摘み片５と誘導切込み６，７とを備えるための平面視で略コの字形状を呈する切断線（図示省略）と長さが異なる平行な２本の切断線（図示省略）とが同時に施される。
このようにして、開封用摘み片５のための切断線と誘導切込み６，７のための切断線とが施された外装フィルム１は、シート状加工品３が供給され、かつ、内装フィルム２と重ね合わされる重合工程へと順次に送り込まれる。
【００２７】
重合工程に送り込まれてきた外装フィルム１は、同速で製造ラインへと繰り出されてくる内装フィルム２と重ね合わせられる。このとき、内装フィルム２との重ね合わせが行われると同時に、外装フィルム１と内装フィルム２との間には海苔などのシート状加工品３が挟み込み収容されるように、シート状加工品３が製造ラインに供給される。このシート状加工品３は、予め所定の大きさ（形状）に整形されており、供給装置に多数枚がセットされている。
【００２８】
このようにして、シート状加工品３を間に挟み込み収容して重ね合わされた長尺な帯状に連なる外装フィルム１と内装フィルム２とは、長辺シール領域Ｘと短辺シール領域Ｙとが熱溶着される溶着工程へと順次に送り込まれ、当該溶着工程において、図２および図３に示すように、長辺シール領域Ｘと短辺シール領域Ｙとが同時またはタイムラグにて熱溶着が施されて袋状に加工される。つまり、シート状加工品３を外装フィルム１と内装フィルム２との間に挟み込み収容した袋状に形成される包装材Ａが長尺な帯状に連なった状態で順次に製造される。
【００２９】
そして、長尺な帯状に連なる包装材Ａは、裁断工程へと順次に送り込まれ、当該裁断工程において、図５の（ａ）に示す裁断ライン９に沿って、（ｂ）に示す裁断カッタＣと裁断プレートＤとの間で裁断される。このとき、外装フィルム１の短辺側端１ｂに備えられる開封用摘み片５は裁断されることなく、該開封用摘み片５を挟む短辺側端１ｂの一半端部１ｂ−１および他半端部１ｂ−２、そして、内装フィルム２の短辺側端２ｂが裁断される。
つまり、裁断カッタＣの刃先には、図５の（ｂ）に示すように、開封用摘み片５が位置する中央部位に、該開封用摘み片５の突出幅と外装フィルム１のフィルム厚さに相当する深さと形状を有する逃がし凹欠刃部１０を備えている。
これにより、開封用摘み片５は裁断されずに、内装フィルム２の短辺側端２ｂのみが幅方向にわたって裁断されるようになっている。
このようにして、おにぎりＢを包装するための包装材Ａが順次に、且つ、連続して製造される。
【００３０】
［包装説明］
次に、本実施形態に係る包装材ＡによるおにぎりＢの包装について簡単に説明する。
図６は、同包装材の内装フィルムの上におにぎりを置いた状態を示す斜視図であり、図７は、同包装材でおにぎりを包装した状態を正面側から見たときの斜視図である。
図６に示すように、包装材Ａの内装フィルム２を上にした状態で、該内装フィルムの上に三角形状に加工されたおにぎりＢを載せる。そして、おにぎりＢを内装フィルムで包み込むように外装フィルム１を折り込み、外装フィルム１と内装フィルム２との短辺シール領域Ｙにて熱溶着されているそれぞれの短辺側端１ｂ，２ｂを略面一に揃える。
このように、外装フィルム１と内装フィルム２とを上向きに折り込んだ後に、外装フィルム１と内装フィルム２との長辺シール領域Ｘにて熱溶着されているそれぞれの長辺側端１ａ，２ａ側を内側に折り重ねて外部との流通を遮断するように要所を熱溶着にて接合する。
【００３１】
つぎに、略面一に揃えた外装フィルムと内装フィルムとの短辺シール領域Ｙに沿って、該短辺シール領域Ｙのシール幅と同じか、それよりも広いシール幅にて再度熱溶着することで、おにぎりＢを包み込むように収容させた内装フィルム２の短辺側端２ｂを閉じる。
このとき、開封用分断部４による引き裂き分割に支障が出ない程度に当該開封用分断部４が存在する部分は弱く熱溶着することが好ましい。
【００３２】
また、図７に示すように、開封用摘み片５（誘導切込み線６，７）を挟む、外装フィルム１の短辺側端１ｂの一半端部１ｂ−１側および他半端部１ｂ−２側とのそれぞれの線状の半シール領域Ｚを熱溶着することが好ましい。
これにより、外装フィルム１と内装フィルム２との短辺側端１ｂ，２ｂの接合が、開封用分断部４により外装フィルム１が幅方向の左右に引き裂き分割されるときに支障が出ないように強化され、しかも、後記の開封のときにおいて、開封用摘み片５の突出基部の背後（裏側）に存在する内装フィルム２の短辺側端２ｂによる外装フィルム１の幅方向の剛性（張り）がより一層効果的に保たれていることとなる。
【００３３】
［開封説明］
次に、おにぎりを食するときの包装材の開封について簡単に説明する。
図８は、おにぎりを食するときの包装材を正面側から見たときの斜視図である。
包装材Ａを開封するときには、図８に示すように、片手Ｍの指先（親指と人差し指）で開封用摘み片５を摘み、もう一方の片手Ｎの指先で外装フィルム１の短辺側端１ｂの一半端部１ｂ-１側を摘む。
この状態で、片手Ｍで開封用摘み片５を手前側（紙面斜め左方向）に引っ張る。すると、開封用摘み片５の両側の突出基端に備えられている誘導切込み線６，７によって外装フィルム１を２本の開封用分断部４に沿わせて左右に二分割するための引き裂き分断が行われる。このとき、摘まれていない外装フィルム１の短辺側端１ｂの他半端部１ｂ-２側が開封用摘み片５に引っ張られて撓むことがなく、しかも、他半端部１ｂ-２側の誘導切込み線７は短辺シール領域Ｙを横断する切込み長さＬ２に形成されているために、一半端部１ｂ−１側の切込み線７に遅れることなく、開封用分断部４へと引き裂き移行される。
これにより、開封用摘み片５を手前側に引っ張って、開封用分断部４に沿わせて外装フィルム１を左右に引き裂き分離して二分割するための開封が速やかに行われる。
【００３４】
このようにして、外装フィルム１を左右に二分割させた後は、外装フィルム１と内装フィルム２との短辺側端１ｂ，２ｂの両側端を，両手Ｍ，Ｎでそれぞれ摘んで、図８に示す矢印Ｇ方向に引っ張ることで、内装フィルム２は２枚のフィルム片２−１，２−２の粘着テープ８により接合されている長辺内側端２−１ａ,２−２ａにおいて左右に剥離分離されるように２分割されて外に引き出される。これにより、後には海苔などのシート状加工品３とおにぎりＢが残り、海苔などのシート状加工品３でおにぎりＢを包み込んで食することができる。
【００３５】
なお、本発明の実施形態の具体的な構成は、前記した実施形態に限られるものではなく、請求項１〜請求項４に記載の本発明の要旨を逸脱しない範囲で設計変更などがあっても本発明に含まれるものである。
例えば、三角形状に加工されたおにぎりＢの包装形態として四角形状に限らず、三角形状の包装形態でもよい。また、おにぎりＢは、四角形状、丸形形状などその加工形状は特に限定されるものではない。
【００３６】
また、開封用分断部４は、外装フィルム１の長手方向にわたって１本を設けた形態とすることもできる。この場合、開封用摘み片５の両側の突出基端に備えられる誘導切込み線６，７を１本の開封用分断部４の方向に向けた内向き傾斜状に設けることが好適なものとなる。
【００３７】
また、粘着テープ８は、フィルム片２−２の長辺内側端２−２ａ側に沿わせて予め取り付けておき、フィルム片２−１の長辺内側端２−１ａと重ね接合させることができる。
【図面の簡単な説明】
【００３８】
【図１】本実施形態に係るおにぎり用包装材の外装フィルムと内装フィルムとを分離して示す分解斜視図である。
【図２】長辺シール領域および短辺シール領域の熱溶着によって袋状に形成された同おにぎり用包装材の外装フィルム側を上にした状態を示す斜視図である。
【図３】同おにぎり用包装材の内装フィルム側を上にした状態を示す斜視図である。
【図４】図３のＩＶ−ＩＶ線に沿えた同おにぎり用包装材の拡大断面図である。
【図５】（ａ）は、同おにぎり用包装材の製造ラインにおいて、シート状加工品を挟み、外装フィルムと内装フィルムとが熱溶着された状態で長尺な帯状に連なるおにぎり用包装材が搬送されるときの一部を外装フィルム側から見たときの平面図であり、（ｂ）は、同おにぎり用包装材が裁断工程へと搬送されて裁断カッタにより裁断されたときの状態を示す概略図である。
【図６】同おにぎり用包装材の内装フィルムの上におにぎりを置いた状態を示す斜視図である。
【図７】同おにぎり用包装材でおにぎりを包装した状態を正面側から見たときの斜視図である。
【図８】おにぎりを食するときの包装材を正面側から見たときの同斜視図である。
【図９】従来の包装形態の一例を示す斜視図である。
【符号の説明】
【００３９】
Ａ      おにぎり用包装材
１      外装フィルム
２      内装フィルム
１ａ，２ａ  長辺側端
１ｂ，２ｂ  短辺側端
１ｂ−１  一半端部
１ｂ−２  他半端部
２−１，２−２  フィルム片
２−１ａ，２−２ａ  長辺内側端
３      シート状加工品
４      開封用分断部
５      開封用摘み片
６，７  誘導切込み線
８      粘着テープ
Ｂ      おにぎり
【図１】
0005085262.tif 000002
【図２】
0005085262.tif 000003
【図３】
0005085262.tif 000004
【図４】
0005085262.tif 000005
【図５】
0005085262.tif 000006
【図６】
0005085262.tif 000007
【図７】
0005085262.tif 000008
【図８】
0005085262.tif 000009
【図９】
0005085262.tif 000010